(57)【要約】【課題】  複数の回路基板の内の１個を片面実装化することが可能になり、コストを低くすることができる表示装置を提供する。【解決手段】  第一の発光素子５は、第一の表示パネル２，３，４を透過照明する。第二の発光素子８は、第二の表示パネル７を透過照明する。第一の回路基板６は、第一の発光素子５を搭載する。第二の回路基板９は、第二の発光素子８を搭載する。第一のコネクタ部材１５は、第一の回路基板６の後面に搭載される。第二のコネクタ部材１４は、第二の回路基板９の前面に搭載される。配線部材１２は、第一のコネクタ部材１５と第二のコネクタ部材１４とを接続する。第二の回路基板９の後面には、配線パターンが設けられていない。第二の表示パネル７は、第一の回路基板６に接続されている。【選択図】  図１
2015114246.tif 000002
【特許請求の範囲】
【請求項１】
第一の表示パネルと、前記第一の表示パネルを透過照明する第一の発光素子と、第二の表示パネルと、前記第二の表示パネルを透過照明する第二の発光素子と、前記第一の発光素子を搭載する第一の回路基板と、前記第二の発光素子を搭載する第二の回路基板と、前記第一の回路基板の後面に搭載された第一のコネクタ部材と、前記第二の回路基板の前面に搭載された第二のコネクタ部材と、前記第一のコネクタ部材と前記第二のコネクタ部材とを接続する配線部材と、を備えたことを特徴とする表示装置。
【請求項２】
前記第二の回路基板の後面には、配線パターンが設けられていないことを特徴とする請求項１に記載の表示装置。
【請求項３】
前記第二の表示パネルは、前記第一の回路基板に接続されていることを特徴とする請求項１に記載の表示装置。
【発明の詳細な説明】
【技術分野】
【０００１】
本発明は、発光素子にて表示パネルを透過照明する表示装置を提供するものである。
【背景技術】
【０００２】
従来の表示装置は、例えば、特許文献１に開示されるものがある。この表示装置は液晶表示パネルの照明用基板と車両用メーターの制御用基板とを備え、照明用基板と制御用基板が可撓性配線板からなる配線部材によって接続されるものである。このような表示装置は通常、液晶表示パネルの真下に照明用基板を配置し、その直下に制御用基板を配置し、液晶表示パネルから引き出された可撓性配線板からなる第一配線部材を照明用基板に接続し、照明用基板と制御用基板とは可撓性配線板からなる第二配線部材で接続される構成が一般的である。
【先行技術文献】
【特許文献】
【０００３】
【特許文献１】特開２００８−２６１１７号公報
【発明の概要】
【発明が解決しようとする課題】
【０００４】
しかしながら、このような構造は、例えば指針式計器上に液晶表示パネルを配置する場合や、液晶表示パネルの周囲に設けられた目盛り文字板を迂回指針によって指示する構造に前述の構造が適用されるが、制御用基板の横幅を越えるように液晶表示パネルが横方向に複数並べて設けられている場合には、照明用基板と制御用基板とを上下に配置することができず、左右に配置する必要がある。制御用基板を大型化し、単一の基板上に液晶表示パネルを全て配置することも考えられるが、基板の取り数を考えると基板コストが高くなってしまう問題点があり、また電子部品実装時や半田付け時の実装装置あるいは半田付け装置への自動投入が困難になるといった問題点があった。
【０００５】
そのため、例えば３つの液晶表示パネルを各液晶表示パネルに対応した各照明を有した制御用基板の直上に配置し、制御用基板に各第一配線部材によって接続し、一つの液晶表示パネルを制御用基板の横に配置し、その液晶表示パネルの照明用基板と制御用基板とを第二配線部材によって接続することになる。例えば１０インチ以上のディスプレイと小型ディスプレイを並べて配置する場合も同様である。このような基板間を第二配線部材によって接続される場合、液晶表示パネルから引き出された第一配線部材を照明用基板の後面に接続し、照明用基板と制御用基板とを第二配線部材を用い各基板の後面同士で接続するため、照明用基板を両面実装にすることになり、コストが高くなってしまう問題点がある。
【０００６】
本発明は、前記問題点を解消し、液晶表示パネルを複数備え、制御用基板に対して照明用基板を横に配置する場合であっても照明用基板の片面実装化を可能とし、コストを低くすることができる表示装置を提供するものである。
【課題を解決するための手段】
【０００７】
本発明は、第一の表示パネル２，３，４と、前記第一の表示パネル２，３，４を透過照明する第一の発光素子５と、第二の表示パネル７と、前記第二の表示パネル７を透過照明する第二の発光素子８と、前記第一の発光素子５を搭載する第一の回路基板６と、前記第二の発光素子８を搭載する第二の回路基板９と、前記第一の回路基板６の後面に搭載された第一のコネクタ部材１５と、前記第二の回路基板９の前面に搭載された第二のコネクタ部材１４と、前記第一のコネクタ部材１５と前記第二のコネクタ部材１４とを接続する配線部材１２と、を備えたものである。
【０００８】
また、本発明は、前記第二の回路基板９の後面には、配線パターンが設けられていないものである。
【０００９】
また、本発明は、前記第二の表示パネル７は、前記第一の回路基板６に接続されているものである。
【発明の効果】
【００１０】
複数の回路基板の内の１個を片面実装化することが可能になり、コストを低くすることができる。
【図面の簡単な説明】
【００１１】
【図１】本発明の実施形態を示す断面図。
【図２】同上実施形態を示す回路基板の前面図。
【発明を実施するための形態】
【００１２】
以下、添付図面に基づいて、本発明の一実施形態を説明する。車両用表示装置は、中ケース１，液晶表示パネル２，３，４，発光素子５，回路基板６，液晶表示パネル７，発光素子８，回路基板９，外ケース１０，配線部材１１，１２を備えている。
【００１３】
中ケース１は、前面に液晶表示パネル２，３，４，７を保持すると共に、後面に回路基板６，９を保持するものである。中ケース１はリフレクター構造を有しており、発光素子５，８から発せられた光は、液晶表示パネル２，３，４，７に照射される。
【００１４】
液晶表示パネル２は、積算走行距離，平均燃費等の車両情報を表示する。液晶表示パネル３は、回転速度やシフトポジション等の車両情報を表示する。液晶表示パネル４は、車両速度等の車両情報を表示する。液晶表示パネル２，３，４は、図示しない配線部材を有しており、その配線部材の一端は、回路基板６後面に搭載されたコネクタ部材に接続されている。
【００１５】
発光素子５は、回路基板６に搭載されたマイコンから出力されるＰＷＭ信号により駆動され、白色発光する。発光素子５は、液晶表示パネル２，３，４を透過照明する。発光素子５は、回路基板６の前面に搭載されている。回路基板６には、発光素子５の他、マイコン，液晶表示パネルドライバー，警告灯を駆動する回路等の制御装置が搭載されている。
【００１６】
液晶表示パネル７は、残燃料等の車両情報を表示する。発光素子８は、回路基板６に搭載されたマイコンから、配線部材１２を介して回路基板９に伝達されたＰＷＭ信号により駆動される。発光素子８は、回路基板９の前面に搭載されており、液晶表示パネル７を透過照明する。回路基板９には、発光素子８が搭載されている。回路基板９は片面実装基板であり、回路基板９の後面には配線パターンが形成されていない。
【００１７】
外ケース１０は樹脂からなるものであり、外ケース１０には、中ケース１，液晶表示パネル２，３，４，発光素子５，回路基板６，液晶表示パネル７，発光素子８，回路基板９，配線部材１１，１２が収納されている。
【００１８】
配線部材１１は、可撓性配線板からなるものであり、液晶表示パネル７から引き出され、コネクタ部材１３を介して回路基板６に接続される。配線部材１２は、可撓性配線板からなるものであり、コネクタ部材１４，１５を介して、回路基板６と回路基板９と接続する。
【００１９】
次に、図２に基づいて、配線部材１１，１２による接続について詳述する。配線部材１１は、中ケース１に配置された液晶表示パネル７から引き出され、回路基板６の後面でコネクタ部材１３に接続される。配線部材１２は、回路基板９の前面に搭載されたコネクタ部材１４と、回路基板６の後面に搭載されたコネクタ部材１３とを接続する。
【００２０】
本実施形態では、配線部材１１を直接、回路基板６の後面に接続し、配線部材１２の一端を回路基板９の前面、他端を回路基板６の後面に接続することができることから、回路基板６に対して回路基板９を横に配置する場合であっても回路基板９の片面実装化を可能とし、コストを低くすることができる。
【００２１】
配線部材１１と配線部材１２とはコネクタ部材１３及びコネクタ部材１５によって回路基板６に接続されており、夫々のコネクタ部材１３，１５は回路基板６に搭載され、夫々の引き回し形状が専用形状を成しているので、コネクタ部材１３，１５が同一形状の場合であっても誤配線を防止することができる。
【符号の説明】
【００２２】
２  液晶表示パネル（第一の表示パネル）
３  液晶表示パネル（第一の表示パネル）
４  液晶表示パネル（第一の表示パネル）
５  発光素子（第一の発光素子）
６  回路基板（第一の回路基板）
７  液晶表示パネル（第二の表示パネル）
８  発光素子（第二の発光素子）
９  回路基板（第二の回路基板）
１２  配線部材
１４  コネクタ部材（第二のコネクタ部材）
１５  コネクタ部材（第一のコネクタ部材）
【図１】
2015114246.tif 000003
【図２】
2015114246.tif 000004